(57)【要約】【課題】温ミストおよび冷ミストがそれぞれの目標位置に到達しやすいミスト発生装置を提供する。【解決手段】ミスト発生装置１は、水から温ミストを生成する温ミスト生成部と、水から冷ミストを生成する冷ミスト生成部と、温ミストを放出する温ミストノズル２１と、冷ミストを放出する冷ミストノズル２２とを備える。温ミストは飛距離が長くなるにつれて上方に流れる特性を持つ。一方、冷ミストは飛距離が長くなるにつれて下方に流れる特性を持つ。このように温ミストおよび冷ミストの流れの特性が互いに異なる。このため、ミスト発生装置１は、温ミストの流れの特性および冷ミストの流れの特性を考慮して、温ミストおよび冷ミストがそれぞれの目標位置に到達するように、温ミストノズル２１の向きおよび冷ミストノズル２２の向きが互いに異なる方向に設定される。このため、温ミストおよび冷ミストがそれぞれの目標位置に到達しやすい。【選択図】図１
2015223335.tif 000002
【特許請求の範囲】
【請求項１】
液体から温ミストを生成する温ミスト生成部と、
液体から冷ミストを生成する冷ミスト生成部と、
前記温ミスト生成部により生成される前記温ミストを放出する温ミスト放出口と、
前記冷ミスト生成部により生成される前記冷ミストを放出する冷ミスト放出口と
を備え、
前記温ミストおよび前記冷ミストがそれぞれの目標位置に到達するように、前記温ミスト放出口の向きおよび前記冷ミスト放出口の向きが互いに異なる方向に設定される
ミスト発生装置。
【請求項２】
前記冷ミスト放出口が前記温ミスト放出口よりも上方を向く
請求項１に記載のミスト発生装置。
【請求項３】
所定の範囲に含まれる前記温ミストに関する目標位置と前記温ミスト放出口とを結ぶ仮想線よりも下方に向けて前記温ミストが放出されるように前記温ミスト放出口の向きが設定され、
前記所定の範囲に含まれる前記冷ミストに関する目標位置と前記冷ミスト放出口とを結ぶ仮想線よりも上方に向けて前記冷ミストが放出されるように前記冷ミスト放出口の向きが設定される
請求項１または２に記載のミスト発生装置。
【請求項４】
前記温ミストに関する目標位置、および、前記冷ミストに関する目標位置が実質的に一致するように前記温ミスト放出口の向きおよび前記冷ミスト放出口の向きが設定される
請求項３に記載のミスト発生装置。
【請求項５】
前記温ミスト放出口および前記冷ミスト放出口が左右方向において互いに異なる位置に配置され、
前記冷ミスト放出口が前記温ミスト放出口の向きに対して斜め上を向く
請求項４に記載のミスト発生装置。
【請求項６】
複数の前記温ミスト放出口を備え、
前記複数の温ミスト放出口のうちの少なくとも２つの向きが互いに異なる方向に設定される
請求項１〜５のいずれか一項に記載のミスト発生装置。
【請求項７】
前記複数の温ミスト放出口のうちの１つから放出される前記温ミストと、前記複数の温ミスト放出口のうちの別の１つから放出される前記温ミストとの間に空気を供給する空気供給部を備える
請求項６に記載のミスト発生装置。
【請求項８】
外郭を構成するハウジングを備え、
前記ハウジングの外面に形成される孔が前記空気供給部を構成する
請求項７に記載のミスト発生装置。
【請求項９】
前記複数の温ミスト放出口のそれぞれから放出される温ミストに関する目標位置が所定の範囲において互いに異なるように前記複数の温ミスト放出口のそれぞれの向きが設定され、
前記複数の温ミスト放出口がそれぞれの目標位置に対して外向きに設定される
請求項８に記載のミスト発生装置。
【請求項１０】
複数の前記冷ミスト放出口と、
前記複数の冷ミスト放出口に空気を供給する複数のエアーポンプと、
前記複数のエアーポンプから吐出される空気を合流させる合流部と、
前記合流部と前記複数の冷ミスト放出口のそれぞれとを連通する複数の連通部と
を備える
請求項１〜９のいずれか一項に記載のミスト発生装置。
【発明の詳細な説明】
【技術分野】
【０００１】
本発明は、温ミストおよび冷ミストを発生させるミスト発生装置に関する。
【背景技術】
【０００２】
温ミストおよび冷ミストを放出するミスト発生装置が知られている。特許文献１はその一例を開示している。ミスト発生装置は、温ミストおよび冷ミストを使用者の肌に供給することにより、例えば肌の美容を促進する効果を提供する。
【先行技術文献】
【特許文献】
【０００３】
【特許文献１】特開２０１０−１８７７６５号公報
【発明の概要】
【発明が解決しようとする課題】
【０００４】
温ミストの流れおよび冷ミストの流れは互いに異なる。一方、特許文献１のミスト発生装置はこのような各ミストの流れの特性について特に言及していない。このため、特許文献１のミスト発生装置は、温ミストおよび冷ミストがその流れに関して実質的に同じ特性を持つという前提のもとに各ミストノズルの向きを設定していると考えられる。このため、特許文献１のミスト発生装置によれば、温ミストおよび冷ミストの一方または両方がそれぞれの目標位置に到達しないおそれがある。
【０００５】
なお、特許文献１の［００２０］は、ミスト発生装置の温ミストノズルの向きおよび冷ミストノズルの向きが同一方向を向くことを開示している。これは、特許文献１のミスト発生装置が上記前提のもとに各ミストノズルの向きを設定していることを推測させる。
【０００６】
本発明の目的は、温ミストおよび冷ミストがそれぞれの目標位置に到達しやすいミスト発生装置を提供することである。
【課題を解決するための手段】
【０００７】
ミスト発生装置の一形態によれば、液体から温ミストを生成する温ミスト生成部と、液体から冷ミストを生成する冷ミスト生成部と、前記温ミスト生成部により生成される前記温ミストを放出する温ミスト放出口と、前記冷ミスト生成部により生成される前記冷ミストを放出する冷ミスト放出口とを備え、前記温ミストおよび前記冷ミストがそれぞれの目標位置に到達するように、前記温ミスト放出口の向きおよび前記冷ミスト放出口の向きが互いに異なる方向に設定される。
【０００８】
温ミストは飛距離が長くなるにつれて上方に流れる。一方、冷ミストは飛距離が長くなるにつれて下方に流れる。このように温ミストおよび冷ミストの流れの特性が互いに異なる。このため、温ミストおよび冷ミストをそれぞれの目標位置に到達させるためには、上記のような各ミストの流れの特性を考慮することが好ましい。
【０００９】
上記ミスト発生装置はこの点を考慮し、温ミストおよび冷ミストがそれぞれの目標位置に到達するように各ミスト放出口の向きを互いに異なる方向に設定している。このため、温ミストおよび冷ミストがそれぞれの目標位置に到達しやすい。なお、上記ミスト発生装置の特徴的な技術事項は、温ミストおよび冷ミストの流れの特性が相違する点と、それぞれのミストの目標位置とを相互に関連付けて各ミスト放出口の向きが設定される点に存在する。そして、温ミスト放出口の向きと冷ミスト放出口の向きとが互いに異なる点は、その特徴的な技術事項がミスト発生装置に反映されていることを表している。
【発明の効果】
【００１０】
ミスト発生装置の一形態によれば、温ミストおよび冷ミストがそれぞれの目標位置に到達しやすい。
【図面の簡単な説明】
【００１１】
【図１】実施の形態１のミスト発生装置の斜視図。
【図２】実施の形態１のミスト発生装置を前後方向に沿って切断した断面図。
【図３】実施の形態１のミスト発生装置を幅方向に沿って切断した断面図。
【図４】実施の形態１のミスト発生装置の内部構造を示す側面図。
【図５】実施の形態１のミスト発生装置を前後方向に沿って切断した別の断面図。
【図６】実施の形態１のミスト発生装置を前後方向に沿って切断したさらに別の断面図。
【図７】実施の形態１のミスト発生装置を幅方向に沿って切断した別の断面図。
【図８】実施の形態１のミスト発生装置のブロック図。
【図９Ａ】実施の形態１のモードＡに関するタイミングチャート。
【図９Ｂ】実施の形態１のモードＢに関するタイミングチャート。
【図９Ｃ】実施の形態１のモードＣに関するタイミングチャート。
【図９Ｄ】実施の形態１のモードＤに関するタイミングチャート。
【図９Ｅ】実施の形態１のモードＥに関するタイミングチャート。
【図１０】実施の形態２のミスト発生装置の斜視図。
【図１１】実施の形態２のミスト発生装置を前後方向に沿って切断した断面図。
【図１２】実施の形態２のミスト発生装置を前後方向に沿って切断した別の断面図。
【図１３】実施の形態２のミスト発生装置を前後方向に沿って切断したさらに別の断面図。
【図１４】実施の形態２のミスト発生装置のブロック図。
【図１５Ａ】実施の形態２のモードＦに関するタイミングチャート。
【図１５Ｂ】実施の形態２のモードＧに関するタイミングチャート。
【図１５Ｃ】実施の形態２のモードＨに関するタイミングチャート。
【図１５Ｄ】実施の形態２のモードＩに関するタイミングチャート。
【図１５Ｅ】実施の形態２のモードＪに関するタイミングチャート。
【発明を実施するための形態】
【００１２】
（ミスト発生装置が取り得る形態の一例）
〔１〕ミスト発生装置の一形態によれば、液体から温ミストを生成する温ミスト生成部と、液体から冷ミストを生成する冷ミスト生成部と、前記温ミスト生成部により生成される前記温ミストを放出する温ミスト放出口と、前記冷ミスト生成部により生成される前記冷ミストを放出する冷ミスト放出口とを備え、前記温ミストおよび前記冷ミストがそれぞれの目標位置に到達するように、前記温ミスト放出口の向きおよび前記冷ミスト放出口の向きが互いに異なる方向に設定される。
【００１３】
温ミストは飛距離が長くなるにつれて上方に流れる。一方、冷ミストは飛距離が長くなるにつれて下方に流れる。このように温ミストおよび冷ミストの流れの特性が互いに異なる。このため、温ミストおよび冷ミストをそれぞれの目標位置に到達させるためには、上記のような各ミストの流れの特性を考慮することが好ましい。
【００１４】
上記ミスト発生装置はこの点を考慮し、温ミストおよび冷ミストがそれぞれの目標位置に到達するように各ミスト放出口の向きを互いに異なる方向に設定している。このため、温ミストおよび冷ミストがそれぞれの目標位置に到達しやすい。なお、上記ミスト発生装置の特徴的な技術事項は、温ミストおよび冷ミストの流れの特性が相違する点と、それぞれのミストの目標位置とを相互に関連付けて各ミスト放出口の向きが設定される点に存在する。そして、温ミスト放出口の向きと冷ミスト放出口の向きとが互いに異なる点は、その特徴的な技術事項がミスト発生装置に反映されていることを表している。
【００１５】
〔２〕前記ミスト発生装置の一形態によれば、前記冷ミスト放出口が前記温ミスト放出口よりも上方を向く。
上記ミスト発生装置によれば、高さ方向における冷ミスト放出口の向きが温ミスト放出口の向きと同じ、または、それよりも下方を向く場合と比較して、高さ方向における冷ミストの到達位置と温ミストの到達位置との差が小さくなる。このため、上記ミスト発生装置は、高さ方向における温ミストの目標位置と冷ミストの目標位置とを近づけることに貢献する。
【００１６】
〔３〕前記ミスト発生装置の一形態によれば、所定の範囲に含まれる前記温ミストに関する目標位置と前記温ミスト放出口とを結ぶ仮想線よりも下方に向けて前記温ミストが放出されるように前記温ミスト放出口の向きが設定され、前記所定の範囲に含まれる前記冷ミストに関する目標位置と前記冷ミスト放出口とを結ぶ仮想線よりも上方に向けて前記冷ミストが放出されるように前記冷ミスト放出口の向きが設定される。
【００１７】
上記ミスト発生装置によれば、所定の範囲に使用者の肌が存在する場合、温ミストおよび冷ミストがその肌の所定の範囲に供給される。このため、肌の美容を促進する効果が得られやすい。
【００１８】
〔４〕前記ミスト発生装置の一形態によれば、前記温ミストに関する目標位置、および、前記冷ミストに関する目標位置が実質的に一致するように前記温ミスト放出口の向きおよび前記冷ミスト放出口の向きが設定される。
【００１９】
上記ミスト発生装置によれば、所定の範囲に使用者の肌が存在する場合、温ミストおよび冷ミストがその肌の同一の部分に供給される。このため、肌の美容を促進する効果が得られやすい。
【００２０】
〔５〕前記ミスト発生装置の一形態によれば、前記温ミスト放出口および前記冷ミスト放出口が左右方向において互いに異なる位置に配置され、前記冷ミスト放出口が前記温ミスト放出口の向きに対して斜め上を向く。
【００２１】
上記ミスト発生装置によれば、温ミストに関する目標位置、および、冷ミストに関する目標位置を実質的に一致させるために、冷ミスト放出口が温ミスト放出口の向きに対して斜め上を向くように設定されている。このため、温ミスト放出口および冷ミスト放出口が左右方向において互いに異なる位置に配置される場合において、温ミストの目標位置および冷ミストの目標位置を実質的に一致させることに貢献できる。
【００２２】
〔６〕前記ミスト発生装置の一形態によれば、複数の前記温ミスト放出口を備え、前記複数の温ミスト放出口のうちの少なくとも２つの向きが互いに異なる方向に設定される。
上記ミスト発生装置によれば、温ミスト放出口が１つだけ存在する場合と比較して、肌の様々な部位に温ミストが供給される。このため、肌の美容を促進する効果がより得られやすい。
【００２３】
〔７〕前記ミスト発生装置の一形態によれば、前記複数の温ミスト放出口のうちの１つから放出される前記温ミストと、前記複数の温ミスト放出口のうちの別の１つから放出される前記温ミストとの間に空気を供給する空気供給部を備える。
【００２４】
温ミスト放出口から放出された温ミストの周囲には負圧が発生する。このため、例えば２つの温ミストの流れが隣り合う場合、一方の温ミストの流れと他方の温ミストの流れとの間に発生する負圧がより強くなる。このような強い負圧が発生したとき、その負圧がそれぞれの温ミストの流れを引き寄せるおそれがある。このため、その温ミストが目標位置とは別の位置に到達するおそれがある。
【００２５】
一方、上記ミスト発生装置によれば、複数の温ミストの間に空気供給部により空気が供給されるため、空気供給部が存在しない場合と比較して、複数の温ミストの流れの間に負圧が発生しにくくなる、もしくは、その間に発生する負圧が弱められる。このため、それぞれの温ミストの流れが負圧に引き寄せられにくくなる。このため、温ミストが目標位置に到達しやすい。
【００２６】
〔８〕前記ミスト発生装置の一形態によれば、外郭を構成するハウジングを備え、前記ハウジングの外面に形成される孔が前記空気供給部を構成する。
上記ミスト発生装置によれば、複数の温ミストの間に負圧が発生したとき、その発生した負圧の部分に向かってハウジングの内部に存在する空気が孔を介して自然に供給される。このため、孔が形成されていない場合と比較して、複数の温ミストの間に負圧が発生しにくくなる、もしくは、その間に発生する負圧が弱められる。このため、温ミストが目標位置に到達しやすい。
【００２７】
〔９〕前記ミスト発生装置の一形態によれば、前記複数の温ミスト放出口のそれぞれから放出される温ミストに関する目標位置が所定の範囲において互いに異なるように前記複数の温ミスト放出口のそれぞれの向きが設定され、前記複数の温ミスト放出口がそれぞれの目標位置に対して外向きに設定される。
【００２８】
上記ミスト発生装置によれば、複数の温ミストの流れの間に発生する負圧を考慮して、その負圧から離れるように複数の温ミストの放出口がそれぞれの目標位置に対して外向きに設定されている。このため、温ミストは負圧に引き寄せられながらそれぞれの目標位置に向かって流れる。このため、複数の温ミスト放出口がそれぞれの目標位置に対して外向きに設定されていない構成と比較して、温ミストが目標位置に到達しやすい。
【００２９】
〔１０〕前記ミスト発生装置の一形態によれば、複数の前記冷ミスト放出口と、前記複数の冷ミスト放出口に空気を供給する複数のエアーポンプと、前記複数のエアーポンプから吐出される空気を合流させる合流部と、前記合流部と前記複数の冷ミスト放出口のそれぞれとを連通する複数の連通部とを備える。
【００３０】
上記ミスト発生装置によれば、冷ミスト放出口が１つだけ存在する場合と比較して、肌の様々な部位に冷ミストが供給される。一方、複数の冷ミスト放出口に個別にエアーポンプが接続される場合には、エアーポンプの製品毎の個体差により、各冷ミスト放出口から放出される冷ミストの量が大きくばらつくおそれがある。上記ミスト発生装置によれば、複数のエアーポンプから吐出された空気が合流し、その空気が連通部を介してそれぞれの冷ミスト放出口に供給される。このため、各冷ミスト放出口から放出される冷ミストの量が大きくばらつくおそれが低減される。
【００３１】
（実施の形態１）
図１および図２を参照して、ミスト発生装置１の構成について説明する。
図１に示すように、ミスト発生装置１は、外郭を構成するハウジング１０を備えている。ミスト発生装置１は、ハウジング１０の下方に形成されている電源コネクター１１を介して外部から電源が供給される。
【００３２】
ハウジング１０の形状は、概ね円筒状である。ハウジング１０の上面には、ミストを放出するノズル部２０、および、ミスト発生装置１を操作する操作スイッチ３０が形成されている。また、ハウジング１０には、ノズル部２０を露出または隠蔽できるように開閉する本体カバー１２が形成されている。
【００３３】
ノズル部２０は、ハウジング１０の上面のうちの中央部分に形成されている。ノズル部２０は、温ミストをハウジング１０の外部に放出する温ミスト放出口である２つの温ミストノズル２１、および、冷ミストをハウジング１０の外部に放出する冷ミスト放出口である２つの冷ミストノズル２２を備えている。温ミストの温度の一例は、使用者の肌に供給されるときの温度が４２℃〜４５℃である。また、冷ミストの温度の一例は、温ミストの温度よりも低い温度であって、冷ミストが使用者の肌に供給されると気化熱により熱が奪われて使用者が冷たく感じる温度である。
【００３４】
ノズル部２０は、ハウジング１０に対して相対的に回転できるように形成され、各ミストノズル２１，２２の向きを一体的に変更することができる。この各ミストノズル２１，２２の向きは、温ミストノズル２１が温ミストを放出する方向、および、冷ミストノズル２２が冷ミストを放出する方向と相関する。
【００３５】
ノズル部２０には、各ミストノズル２１，２２を露出または隠蔽できるように開閉するノズルカバー２３が形成されている。また、各ミストノズル２１，２２は、ハウジング１０の幅方向に並んで配置され、２つの冷ミストノズル２２が一方の温ミストノズル２１および他方の温ミストノズル２１により挟まれている。
【００３６】
操作スイッチ３０は、ハウジング１０の上面のうちの縁に形成されている。操作スイッチ３０は、ミスト発生装置１の電源のオンまたはオフを切り替える電源スイッチ３１、温ミストおよび冷ミストの放出態様が異なる各種複数のモードのうちの１つを選択できるモード選択スイッチ３２、および、選択されたモードの運転を開始または停止する運転スイッチ３３を含む。各スイッチ３１〜３３の形態は、ボタンである。モード選択スイッチ３２は、一例として、ボタンを押す回数に応じて選択されるモードが変更される。
【００３７】
図２に示すように、ハウジング１０の背面には、給水タンク１４を収容するタンク収容部１３が形成されている。タンク収容部１３には、液体である水を貯留する給水タンク１４が着脱できるように取り付けられている。給水タンク１４は、タンク収容部１３から取り外して水が給水される。
【００３８】
図３および図４を参照して、ミスト発生装置１の内部構成について説明する。
図３に示すように、ハウジング１０の内部には、給水タンク１４（図２参照）に貯留されている水から温ミストを生成する温ミスト生成部４０、および、給水タンク１４に貯留されている水から冷ミストを生成する冷ミスト生成部５０が備えられている。
【００３９】
温ミスト生成部４０は、電源が供給されることにより発熱する２つのヒーター４１、および、ヒーター４１の内側に配置されているボイラー室４２を含む。ヒーター４１は、一例として、自己制御機能により自身の発熱を制御するＰＴＣヒーターである。ボイラー室４２は、給水タンク１４に接続されている給水管１５を介して水が供給され、その水をヒーター４１の熱により沸騰させることにより温ミストを生成する。
【００４０】
ボイラー室４２の上部には、生成した温ミストを２つの温ミストノズル２１（図５参照）に案内する案内管４３が配置されている。また、案内管４３の途中には、温ミストを微細化する放電部４４、および、温ミストを２つの温ミストノズル２１に均等に供給されるように分岐させる分岐部４５が備えられている。
【００４１】
放電部４４は、案内管４３のうちの分岐部４５の手前に配置され、自身の放電により放電部４４を通過する温ミストを微細化させる役割を持つ。また、放電部４４は、抗酸化作用があり肌に良いとされる金属を電極として用い、放電を利用してその金属の微粒子を発生させている。すなわち、放電部４４は、温ミストの微細化と金属微粒子の含有とを同時に行っている。なお、肌に良いとされる金属の一例は、白金である。
【００４２】
ボイラー室４２および案内管４３の内部は、生成された温ミストにより圧力が上昇する。このため、温ミストは、それぞれの温ミストノズル２１から一定の速度により放出される。
【００４３】
冷ミスト生成部５０は、ベンチュリー効果を用いて冷ミストを生成する。冷ミスト生成部５０は、給水タンク１４に接続されている給水管１５から分岐し、冷ミストノズル２２（図６参照）に向けて送水する送水管５１を含む。送水管５１の途中には、送水管５１内を通過する水を加熱殺菌する殺菌部５８（図８参照）、送水管５１内を通過する水の除塵を行うフィルター５９、および、水を２つの冷ミストノズル２２に均等に分岐させる分岐部５２が備えられている。殺菌部５８は、ヒーター４１の背面に配置されているため、そのヒーター４１の熱を利用して水を加熱することにより殺菌する。
【００４４】
また、冷ミスト生成部５０は、３つのエアーポンプ５３（図４参照）から冷ミストノズル２２に向けて空気を圧送する空気圧送路５４（図４参照）をさらに含む。冷ミスト生成部５０は、圧送空気が冷ミストノズル２２の先端に向けて供給され、冷ミストノズル２２の先端の手前で送水管５１内の水と合流させることによりベンチュリー効果を生じさせる。そして、圧送空気とともに送水管５１内の水が吸い出されることにより冷ミストが生成され、それぞれの冷ミストノズル２２から一定の速度により冷ミストが放出される。
【００４５】
図４に示すように、空気圧送路５４の途中には、３つのエアーポンプ５３から吐出される圧送空気を合流させる合流部５５、および、合流部５５を経た圧送空気を混合させる混合部５６（図８参照）が備えられている。また、空気圧送路５４の途中には、混合部５６を経た圧送空気を２つの冷ミストノズル２２（図６参照）に均等に供給されるように分岐させる分岐部５７（図８参照）がさらに備えられている。なお、混合部５６および分岐部５７は、合流部５５と各冷ミストノズル２２のそれぞれとを連通する複数の連通部に相当する。
【００４６】
エアーポンプ５３は、それぞれ電気モーター（図示略）を駆動源として動作している。また、エアーポンプ５３は、一例として、ダイヤフラムを使用した小型のエアーポンプである。これにより、大きな圧力、多くの流量、および、低騒音に貢献することができ、安定したベンチュリー効果を発生させることができる。
【００４７】
図５〜図７を参照して、各ミストノズル２１，２２の構成の一例について説明する。なお、図５〜図７は、温ミストノズル２１が水平面に対して４０°上向きを形成するように、ノズル部２０の回転が調整されている。
【００４８】
図５は、温ミストノズル２１を前後方向に沿って切断した断面図である。なお、矢印は、温ミストノズル２１が放出する温ミストの放出方向を示している。
温ミストノズル２１の先端の孔径は、概ね３．８ｍｍである。各温ミストノズル２１から放出される温ミストの量は、概ね６ｍｌ／分に設定されている。所定の範囲に含まれる温ミストに関する目標位置は、一例として、温ミストノズル２１から２５ｃｍ前方に設定されている。温ミストノズル２１の向きは、温ミストの飛距離が長くなるにつれて上方に流れる温ミストの流れの特性を考慮して、温ミストノズル２１と目標位置とを結ぶ仮想線よりも下方に向けて温ミストが放出されるように設定されている。なお、温ミストの目標位置は、ノズル部２０の回転が調整されることにより変化する。
【００４９】
図６は、冷ミストノズル２２を前後方向に沿って切断した断面図である。なお、矢印は、冷ミストノズル２２が放出する冷ミストの放出方向を示している。
冷ミストノズル２２の先端の孔径は、概ね０．４ｍｍである。各冷ミストノズル２２から放出される冷ミストの量は、概ね２ｍｌ／分に設定されている。各冷ミストノズル２２がエアーポンプ５３から供給される圧送空気の量は、概ね１．６ｌ／分に設定されている。所定の範囲に含まれる冷ミストに関する目標位置は、一例として、温ミストノズル２１から２５ｃｍ前方に設定され、温ミストの目標位置と実質的に一致するように設定されている。冷ミストノズル２２の向きは、冷ミストの飛距離が長くなるにつれて下方に流れる冷ミストの流れの特性を考慮して、冷ミストノズル２２と目標位置とを結ぶ仮想線よりも上方に向けて冷ミストが放出されるように設定されている。冷ミストノズル２２は、一例として、水平面に対して４３．９°上向きに設定されている。すなわち、冷ミストノズル２２は、温ミストノズル２１よりも上方を向くように設定されている。なお、冷ミストの目標位置は、ノズル部２０の回転が調整されることにより変化する。
【００５０】
各ミストノズル２１，２２の水平面に対する向きは、一例として、各ミストノズル２１，２２の孔径、各ミストの量、および、各ミストノズル２１，２２の配置の３点に基づいて設定されている。この３点のうちの少なくとも１つが変更されることにより、温ミストが上方に流れる度合と、冷ミストが下方に流れる度合とが変化することから、少なくともこの３点に基づいて各ミストノズル２１，２２の水平面に対する向きが設定されることが好ましい。
【００５１】
図７は、ノズル部２０からハウジング１０の後方側に向けて幅方向に沿って切断した断面図である。なお、矢印は、各ミストノズル２１，２２が放出するミストの放出方向を示している。
【００５２】
一方の温ミストノズル２１と他方の温ミストノズル２１との間隔は、一般的な人の両頬の間隔に近い概ね７０ｍｍに設定されている。一方の冷ミストノズル２２と他方の冷ミストノズル２２との間隔は、概ね２７ｍｍに設定されている。各冷ミストノズル２２は、温ミストノズル２１の向きに対して斜め上を向くように設定され、一例として、温ミストの目標位置および冷ミストの目標位置を実質的に一致させるように水平面に対して垂直な面である垂直面に対して４．９°外向きに設定されている。なお、各温ミストノズル２１の向きは、垂直面に対して０°に設定されている。
【００５３】
図８に示すように、ハウジング１０（図１参照）の内部には、ミスト発生装置１の動作を制御する制御回路基板６０が配置されている。制御回路基板６０は、電源コネクター１１（図１参照）を介して外部から電源が供給され、その電力を温ミスト生成部４０および冷ミスト生成部５０に供給する。
【００５４】
制御回路基板６０は、電源スイッチ３１のオンまたはオフの操作に基づいて実行状態と停止状態とが切り替えられる。制御回路基板６０が実行状態のとき、モード選択スイッチ３２および運転スイッチ３３の操作に基づいて実行されるモードが選択される。そして、制御回路基板６０は、その選択されたモードに応じた電力を温ミスト生成部４０および冷ミスト生成部５０の一方または両方に供給する。なお、図８に示す破線は、制御回路基板６０との電気的な接続を表している。
【００５５】
図９Ａ〜図９Ｅを参照して、各種モードの放出態様の一例について説明する。
制御回路基板６０（図８参照）は、温ミストおよび冷ミストの放出態様が異なる各種複数のモードを記憶している。制御回路基板６０は、一例として、肌をつやつやにするモードＡ、肌を引き締めるモードＢ、肌をさらさらにするモードＣ、短時間で肌を引き締めるモードＤ、および、肌に潤いを与えるモードＥの各種複数のモードを記憶している。
【００５６】
図９Ａに示すように、制御回路基板６０は、モードＡが選択されているとき、温ミストおよび冷ミストの放出態様を次のように順次切り替える。時刻ｔ１Ａから時刻ｔ２Ａにかけて、温ミストを６分間放出する。時刻ｔ２Ａから時刻ｔ３Ａにかけて、冷ミストを４５秒間放出する。時刻ｔ３Ａから時刻ｔ４Ａにかけて、温ミストを３分間放出する。時刻ｔ４Ａから時刻ｔ５Ａにかけて、冷ミストを４５秒間放出する。時刻ｔ５Ａから時刻ｔ６Ａにかけて、温ミストを３分間放出する。このように放出されるモードＡによれば、肌をつやつやにする効果が期待できる。
【００５７】
図９Ｂに示すように、制御回路基板６０は、モードＢが選択されているとき、温ミストおよび冷ミストの放出態様を次のように順次切り替える。時刻ｔ１Ｂから時刻ｔ２Ｂにかけて、温ミストを１１分間放出する。時刻ｔ２Ｂから時刻ｔ３Ｂにかけて、冷ミストを１分間放出する。このように放出されるモードＢによれば、肌を引き締める効果が期待できる。
【００５８】
図９Ｃに示すように、制御回路基板６０は、モードＣが選択されているとき、温ミストおよび冷ミストの放出態様を次のように順次切り替える。時刻ｔ１Ｃから時刻ｔ２Ｃにかけて、温ミストを６分間放出する。時刻ｔ２Ｃから時刻ｔ３Ｃにかけて、冷ミストを３０秒間放出する。時刻ｔ３Ｃから時刻ｔ４Ｃにかけて、温ミストを２分１５秒間放出する。時刻ｔ４Ｃから時刻ｔ５Ｃにかけて、冷ミストを２５秒間放出する。時刻ｔ５Ｃから時刻ｔ６Ｃにかけて、温ミストを３分間放出する。時刻ｔ６Ｃから時刻ｔ７Ｃにかけて、冷ミストを４５秒間放出する。このように放出されるモードＣによれば、肌をさらさらにする効果が期待できる。
【００５９】
図９Ｄに示すように、制御回路基板６０は、モードＤが選択されているとき、温ミストおよび冷ミストの放出態様を次のように順次切り替える。時刻ｔ１Ｄから時刻ｔ２Ｄにかけて、温ミストを６分間放出する。時刻ｔ２Ｄから時刻ｔ３Ｄにかけて、冷ミストを１分間放出する。このように放出されるモードＤによれば、モードＢよりも短時間で肌を引き締める効果が期待できる。
【００６０】
図９Ｅに示すように、制御回路基板６０は、モードＥが選択されているとき、温ミストのみが放出されるような放出態様を次のように形成する。時刻ｔ１Ｅから時刻ｔ２Ｅにかけて、温ミストを１２分間放出する。このように放出されるモードＥによれば、肌に潤いを与える効果が期待できる。
【００６１】
図１を参照して、ミスト発生装置１の作用について説明する。
ミスト発生装置１を使用する使用者は、自身と各ミストノズル２１，２２とが対向するようにミスト発生装置１を机等の台に設置する。また、使用者は、自身と温ミストノズル２１との距離が概ね２５ｃｍとなるようにミスト発生装置１を配置する。そして、使用者が操作スイッチ３０を操作することにより各種複数のモードのうちの１つを選択し、その選択されたモードの運転が開始される。
【００６２】
ミスト発生装置１は、温ミストノズル２１から温ミストを放出する。温ミストノズル２１は、温ミストの目標位置に使用者の頬が存在するため、使用者の頬に向けて温ミストを一定の速度で放出する。この温ミストは、温ミストの流れの特性により上方へ流れながら使用者の頬に供給される。なお、一方の温ミストノズル２１から放出される温ミストが使用者の一方の頬に供給され、他方の温ミストノズル２１から放出される温ミストが使用者の他方の頬に供給される。
【００６３】
ミスト発生装置１は、冷ミストノズル２２から冷ミストを放出する。冷ミストノズル２２は、冷ミストの目標位置に使用者の頬が存在するため、使用者の頬に向けて冷ミストを一定の速度で放出する。この冷ミストは、冷ミストの流れの特性により下方へ流れながら使用者の頬に供給される。なお、冷ミストは、冷ミストノズル２２が垂直面に対して外向きに設定されていることにより、内側から使用者の頬に供給される。また、一方の冷ミストノズル２２から放出される冷ミストが使用者の一方の頬に供給され、他方の冷ミストノズル２２から放出される冷ミストが使用者の他方の頬に供給される。
【００６４】
このようにミスト発生装置１によれば、温ミストの流れの特性および冷ミストの流れの特性を考慮して、温ミストノズル２１および冷ミストノズル２２の向きが設定されているため、温ミストおよび冷ミストがそれぞれの目標位置に到達しやすい。
【００６５】
また、ノズル部２０の回転を調整することにより、温ミストおよび冷ミストが使用者のデコルテに供給されるように温ミストおよび冷ミストの目標位置を変更することもできる。このため、温ミストおよび冷ミストの目標位置は、使用者の顔から胸元までの範囲内において変更される。
【００６６】
ミスト発生装置１によれば、以下の効果が得られる。
（１）ミスト発生装置１によれば、温ミストの流れの特性および冷ミストの流れの特性を考慮して、温ミストに関する目標位置および冷ミストに関する目標位置が実質的に一致するように、温ミストノズル２１および冷ミストノズル２２の向きが設定されている。このため、所定の範囲に使用者の肌が存在する場合、温ミストおよび冷ミストがその肌の同一の部分に供給されることにより、肌の美容を促進する効果が得られやすい。
【００６７】
（２）複数の冷ミストノズル２２に個別にエアーポンプ５３が接続される場合には、エアーポンプ５３の製品毎の個体差により、各冷ミストノズル２２から放出される冷ミストの量が大きくばらつくおそれがある。ミスト発生装置１によれば、３つのエアーポンプ５３から吐出される空気を合流させて混合した後に、その混合された空気を２つの冷ミストノズル２２のそれぞれに均等に供給されるように分岐させる。このため、各冷ミストノズル２２から放出される冷ミストの量が大きくばらつくおそれが低減される。また、エアーポンプ５３により冷ミストノズル２２から放出される空気は、冷ミストを目標位置まで到達させる役割に加えて、使用者の肌に供給された冷ミストを気化させる役割を持つ。このため、各冷ミストノズル２２から放出されるそれぞれの冷ミストが使用者に与える肌の冷却感がばらつくおそれも低減される。
【００６８】
（３）ミスト発生装置１によれば、制御回路基板６０が各種複数のモードを記憶している。このため、使用者がその各種複数のモードのうちの１つを実行することにより、その選択されたモードにより得られる効果が使用者に与えられる。
【００６９】
（実施の形態２）
実施の形態２のミスト発生装置２は、以下に説明する点において実施の形態１のミスト発生装置１と相違し、その他の点において実施の形態１のミスト発生装置１と実質的に同じ構成を備える。なお、実施の形態２のミスト発生装置２の説明は、実施の形態１のミスト発生装置１と共通する構成に同一の符号を付し、その構成の説明の一部または全部を省略している。
【００７０】
図１０を参照して、ミスト発生装置２の構成について説明する。
ミスト発生装置２は、外郭を構成するハウジング１０を備えている。ミスト発生装置２は、ハウジング１０の下方に形成されている電源コネクター１１（図１２参照）を介して外部から電力が供給される。
【００７１】
ハウジング１０の形状は、直方体のような形状である。ハウジング１０の上面には、ミストとマイナスイオンとを放出するノズル部２０、ミスト発生装置２を操作する操作スイッチ３０、および、給水タンク１４を収容するタンク収容部１３が形成されている。
【００７２】
ノズル部２０は、ハウジング１０の上面のうちの中央部分に形成されている。ノズル部２０は、温ミストをハウジング１０の外部に放出する温ミスト放出口である３つの温ミストノズル２１，２１Ａ、および、冷ミストをハウジング１０の外部に放出する冷ミスト放出口である２つの冷ミストノズル２２を備えている。また、ノズル部２０は、マイナスイオンをハウジング１０の外部に放出するイオンノズル２４をさらに備えている。
【００７３】
温ミストノズル２１，２１Ａは、ハウジング１０の幅方向に並んで配置され、温ミストノズル２１Ａが一方の温ミストノズル２１と他方の温ミストノズル２１との中間部分に配置されている。一方の温ミストノズル２１と他方の温ミストノズル２１との間隔は、概ね８０ｍｍに設定されている。また、温ミストノズル２１Ａは、温ミストノズル２１と実質的に同じ構成である。
【００７４】
冷ミストノズル２２およびイオンノズル２４は、ハウジング１０の幅方向に並んで配置され、イオンノズル２４が一方の冷ミストノズル２２と他方の冷ミストノズル２２との中間部分に配置されている。一方の冷ミストノズル２２と他方の冷ミストノズル２２との間隔は、概ね６０ｍｍに設定されている。また、冷ミストノズル２２およびイオンノズル２４は、ハウジング１０のうちの温ミストノズル２１，２１Ａよりも後方であって、温ミストノズル２１，２１Ａよりも概ね２０ｍｍ高い位置に形成されている。
【００７５】
図１１を参照して、ミスト発生装置２の内部構成について説明する。なお、図１１は、温ミストノズル２１Ａを前後方向に沿って切断した断面図である。また、矢印は、温ミストノズル２１Ａが放出する温ミストの放出方向を示している。
【００７６】
ハウジング１０の内部には、温ミストを生成する温ミスト生成部４０、冷ミストを生成する冷ミスト生成部５０、および、マイナスイオンを生成するイオン生成部７０が備えられている。
【００７７】
温ミスト生成部４０のボイラー室４２の上部には、生成した温ミストを３つの温ミストノズル２１，２１Ａに案内する案内管４３が配置されている。また、案内管４３の途中には、温ミストを微細化する放電部４４、および、温ミストを３つの温ミストノズル２１，２１Ａに均等に供給されるように分岐させる分岐部４５が備えられている。
【００７８】
イオン生成部７０は、負の高電圧を印加し、コロナ放電を発生させることによりマイナスイオンを生成する放電部７１を含む。放電部７１は、一例として、温ミスト生成部４０が温ミストを生成するときにマイナスイオンを生成する。このため、温ミストの放出とともにイオンノズル２４からマイナスイオンが放出される。
【００７９】
また、ハウジング１０の外面である上面のうちのノズル部２０に近い位置には、空気供給部である孔１６が形成されている。孔１６は、ハウジング１０の上面とハウジング１０の底面とを互いに連通している。なお、孔１６は、外部から視認しにくい位置に形成されている。
【００８０】
図１１〜図１３を参照して、各ミストノズル２１，２１Ａ，２２の構成の一例について説明する。なお、図１１〜図１３は、温ミストノズル２１Ａが水平面に対して４０°上向きを形成するように、ノズル部２０の回転が調整されている。また、各ミストノズル２１，２１Ａ，２２の左右方向の向きは、垂直面に対して０°に設定されている。
【００８１】
図１２は、温ミストノズル２１を前後方向に沿って切断した断面図である。なお、矢印は、温ミストノズル２１が放出する温ミストの放出方向を示している。
温ミストノズル２１の向きは、温ミストの流れの特性を考慮して、一例として、水平面に対して５６°上向きに設定されている。所定の範囲に含まれる温ミストノズル２１，２１Ａ（図１１参照）から放出される温ミストのそれぞれの目標位置は、温ミストノズル２１から２５ｃｍ前方であって、幅８０ｍｍかつ高さ７０ｍｍの逆三角形の３頂点のそれぞれに到達するように設定されている。
【００８２】
図１３は、冷ミストノズル２２を前後方向に沿って切断した断面図である。なお、矢印は、冷ミストノズル２２が放出する冷ミストの放出方向を示している。
冷ミストノズル２２の向きは、冷ミストの流れの特性を考慮して、一例として、水平面に対して５０．３°上向きに設定されている。所定の範囲に含まれる冷ミストノズル２２から放出される冷ミストのそれぞれの目標位置は、温ミストノズル２１から２５ｃｍ前方であって、逆三角形の上辺よりも２０ｍｍ下方かつ幅６０ｍｍの間隔を空けた位置のそれぞれに到達するように設定されている。
【００８３】
図１４に示すように、ハウジング１０（図１０参照）の内部には、ミスト発生装置２の動作を制御する制御回路基板６０が配置されている。制御回路基板６０は、電源コネクター１１（図１２参照）を介して外部から電源が供給され、その電力を温ミスト生成部４０、冷ミスト生成部５０、および、イオン生成部７０に供給する。
【００８４】
図１５Ａ〜図１５Ｅを参照して、各種モードの放出態様の一例について説明する。
制御回路基板６０（図１４参照）は、温ミストおよび冷ミストの放出態様が異なる各種複数のモードを記憶している。制御回路基板６０は、一例として、肌をつやつやにするモードＦ、肌を引き締めるモードＧ、肌をさらさらにするモードＨ、肌に潤いを与えるモードＩ、および、化粧を落としやすくするモードＪの各種複数のモードを記憶している。
【００８５】
図１５Ａに示すように、制御回路基板６０は、モードＦが選択されているとき、温ミストおよび冷ミストの放出態様を次のように順次切り替える。時刻ｔ１Ｆから時刻ｔ２Ｆにかけて、温ミストを５分間放出する。時刻ｔ２Ｆから時刻ｔ３Ｆにかけて、冷ミストを４５秒間放出する。時刻ｔ３Ｆから時刻ｔ４Ｆにかけて、温ミストを２分３０秒間放出する。時刻ｔ４Ｆから時刻ｔ５Ｆにかけて、冷ミストを４５秒間放出する。時刻ｔ５Ｆから時刻ｔ６Ｆにかけて、温ミストを２分３０秒間放出する。このように放出されるモードＦによれば、肌をつやつやにする効果が期待できる。
【００８６】
図１５Ｂに示すように、制御回路基板６０は、モードＧが選択されているとき、温ミストおよび冷ミストの放出態様を次のように順次切り替える。時刻ｔ１Ｇから時刻ｔ２Ｇにかけて、温ミストを１０分間放出する。時刻ｔ２Ｇから時刻ｔ３Ｇにかけて、冷ミストを１分間放出する。このように放出されるモードＧによれば、肌を引き締める効果が期待できる。
【００８７】
図１５Ｃに示すように、制御回路基板６０は、モードＨが選択されているとき、温ミストおよび冷ミストの放出態様を次のように順次切り替える。時刻ｔ１Ｈから時刻ｔ２Ｈにかけて、温ミストを５分間放出する。時刻ｔ２Ｈから時刻ｔ３Ｈにかけて、冷ミストを３０秒間放出する。時刻ｔ３Ｈから時刻ｔ４Ｈにかけて、温ミストを２分間放出する。時刻ｔ４Ｈから時刻ｔ５Ｈにかけて、冷ミストを２５秒間放出する。時刻ｔ５Ｈから時刻ｔ６Ｈにかけて、温ミストを２分３０秒間放出する。時刻ｔ６Ｈから時刻ｔ７Ｈにかけて、冷ミストを４５秒間放出する。このように放出されるモードＨによれば、肌をさらさらにする効果が期待できる。
【００８８】
図１５Ｄに示すように、制御回路基板６０は、モードＩが選択されているとき、温ミストのみが放出されるような放出態様を次のように形成する。時刻ｔ１Ｉから時刻ｔ２Ｉにかけて、温ミストを１０分間放出する。このように放出されるモードＩによれば、肌に潤いを与える効果が期待できる。
【００８９】
図１５Ｅに示すように、制御回路基板６０は、モードＪが選択されているとき、温ミストのみが放出されるような放出態様を次のように形成する。時刻ｔ１Ｊから時刻ｔ２Ｊにかけて、温ミストを３分間放出する。このように放出されるモードＪによれば、化粧を落としやすくする効果が期待できる。
【００９０】
図１０を参照して、ミスト発生装置２の作用について説明する。
ミスト発生装置２を使用する使用者は、自身と各ミストノズル２１，２１Ａ，２２とが対向するようにミスト発生装置２を机等の台に設置する。また、使用者は、自身と温ミストノズル２１との距離が概ね２５ｃｍとなるようにミスト発生装置２を配置する。そして、使用者が操作スイッチ３０を操作することにより各種複数のモードのうちの１つを選択し、その選択されたモードの運転が開始される。
【００９１】
ミスト発生装置２は、温ミストノズル２１から温ミストを放出する。温ミストノズル２１は、温ミストの目標位置に使用者の頬が存在するため、頬に向けて温ミストを一定の速度で放出する。この温ミストは、その特性により上方へ流れながら使用者の頬に供給される。
【００９２】
ミスト発生装置２は、温ミストノズル２１Ａから温ミストを放出する。温ミストノズル２１Ａは、温ミストの目標位置に使用者の顎が存在するため、使用者の顎に向けて温ミストを一定の速度で放出する。この温ミストは、その特性により上方へ流れながら使用者の顎に供給される。
【００９３】
ミスト発生装置２は、冷ミストノズル２２から冷ミストを放出する。冷ミストノズル２２は、冷ミストの目標位置に使用者の頬周辺が存在するため、使用者の頬周辺に向けて冷ミストを一定の速度で放出する。この冷ミストは、その特性により下方へ流れながら使用者の頬周辺に供給される。
【００９４】
このようにミスト発生装置２によれば、温ミストの流れの特性および冷ミストの流れの特性を考慮して、温ミストノズル２１および冷ミストノズル２２の向きが設定されているため、温ミストおよび冷ミストがそれぞれの目標位置に到達しやすい。
【００９５】
また、ノズル部２０の回転を調整することにより、温ミストおよび冷ミストが使用者のデコルテに供給されるように温ミストおよび冷ミストの目標位置を変更することもできる。このため、温ミストおよび冷ミストの目標位置は、使用者の顔から胸元までの範囲内において変更される。
【００９６】
ミスト発生装置２によれば、実施の形態１の（２）の効果に加えて、以下の効果が得られる。
（４）温ミストノズル２１，２１Ａから放出された温ミストの周囲には負圧が発生する。このため、例えば２つの温ミストの流れが隣り合う場合、一方の温ミストの流れと他方の温ミストの流れとの間に発生する負圧がより強くなる。このような強い負圧が発生したとき、その負圧がそれぞれの温ミストの流れを引き寄せるおそれがある。このため、その温ミストが目標位置とは別の位置に到達するおそれがある。
【００９７】
一方、ミスト発生装置２によれば、複数の温ミストの間に負圧が発生したとき、その発生した負圧の部分に向かってハウジング１０の内部に存在する空気が孔１６を介して自然に供給される。このため、孔１６が形成されていない場合と比較して、複数の温ミストの間に負圧が発生しにくくなる、もしくは、その間に発生する負圧が弱められる。このため、それぞれの温ミストの流れが負圧に引き寄せられにくくなる。このため、温ミストが目標位置に到達しやすい。
【００９８】
また、ミスト発生装置２によれば、複数の温ミストの間に空気を供給するエアーポンプ等を備える場合と比較して、構造が簡略化されやすく、かつ、コストの削減に貢献できる。さらに、孔１６が外部から視認しにくい位置に形成されているため、ミスト発生装置２の意匠性が低下しにくい。
【００９９】
（５）ミスト発生装置２によれば、マイナスイオンをハウジング１０の外部に放出するイオンノズル２４を備えている。このマイナスイオンは、温ミストの放出とともに使用者に供給される。このため、高い美容効果が使用者に与えられる。
【０１００】
（６）ミスト発生装置２によれば、制御回路基板６０が各種複数のモードを記憶している。このため、使用者がその各種複数のモードのうちの１つを実行することにより、その選択されたモードにより得られる効果が使用者に与えられる。
【０１０１】
（変形例）
ミスト発生装置が取り得る具体的な形態は、上記各実施の形態に例示された形態に限定されない。ミスト発生装置は、本発明の目的が達成される範囲において、上記各実施の形態とは異なる各種の形態を取り得る。以下に示される上記各実施の形態の変形例は、ミスト発生装置が取り得る各種の形態の一例である。
【０１０２】
・実施の形態１の変形例のミスト発生装置１によれば、ハウジング１０の上面にイオンノズル２４が形成され、ハウジング１０の内部にイオン生成部７０が備えられる。この構成によれば、マイナスイオンが使用者に供給される。このため、高い美容効果が使用者に与えられる。
【０１０３】
・実施の形態１の変形例のミスト発生装置１によれば、制御回路基板６０がモードＡ〜モードＥの少なくとも１つに代えて、または、加えて、別のモードを記憶している。この別のモードが選択されるとき、制御回路基板６０は、温ミストのみが３分間放出されるような放出態様を形成する。このように放出される別のモードによれば、化粧を落としやすくする効果が期待できる。
【０１０４】
・実施の形態１の各冷ミストノズル２２が垂直面に対して外向きに設定されるか否かは、任意の選択事項である。例えば、変形例のミスト発生装置１によれば、各冷ミストノズル２２の向きが垂直面に対して０°に設定され、各温ミストノズル２１が垂直面に対して内向きに設定される。
【０１０５】
・実施の形態２のノズル部２０にイオンノズル２４を含めるか否かは、任意の選択事項である。
・実施の形態２のミスト発生装置２によれば、ハウジング１０の上面とハウジング１０の底面とを互いに連通している孔１６に代えて、ハウジング１０の内部に別の空気供給部であるエアーポンプ等の送風装置を備える。この送風装置は、各温ミストノズル２１，２１Ａから放出されるそれぞれの温ミストの間に空気を供給する。このため、複数の温ミストの間に負圧が発生しにくくなる、もしくは、その間に発生する負圧が弱められる。このため、それぞれの温ミストの流れが負圧に引き寄せられにくくなる。このため、温ミストが目標位置に到達しやすい。
【０１０６】
・実施の形態２のミスト発生装置２によれば、ハウジング１０の上面に孔１６を形成するか否かは、任意の選択事項である。例えば、変形例のミスト発生装置２によれば、ハウジング１０の上面に孔１６が形成されていない。このため、変形例のミスト発生装置２によれば、複数の温ミストの流れの間に発生する負圧を考慮して、その負圧から離れるように各温ミストノズル２１がそれぞれの目標位置に対して外向きに設定される。このため、温ミストは負圧に引き寄せられながらそれぞれの目標位置に向かって流れる。このため、温ミストが目標位置に到達しやすい。なお、この変形例の温ミストノズル２１Ａは、目標位置に対して真っ直ぐに設定されることが好ましい。
【０１０７】
・冷ミスト生成部５０に合流部５５、混合部５６、および、分岐部５７を含めるか否かは、任意の選択事項である。例えば、変形例のミスト発生装置１，２によれば、冷ミストノズル２２の数とエアーポンプ５３の数とを同じにして、各冷ミストノズル２２に個別にエアーポンプ５３が接続される。
【０１０８】
・各実施の形態の変形例のミスト発生装置１，２によれば、例えば超音波振動機により液体をミスト状に霧化させ、そのミストをヒーターにより温めることにより温ミストを生成し、ファン等により温ミストノズル２１，２１Ａからその温ミストを放出させる。
【０１０９】
・各実施の形態の変形例のミスト発生装置１，２によれば、例えば超音波振動機により液体を霧化させることにより冷ミストを生成し、ファン等により冷ミストノズル２２からその冷ミストを放出させる。
【０１１０】
・各実施の形態の変形例のミスト発生装置１，２によれば、各温ミストノズル２１，２１Ａのそれぞれの目標位置が実質的に一致するように各温ミストノズル２１，２１Ａの向きが設定される。
【０１１１】
・各実施の形態の変形例のミスト発生装置１，２によれば、各冷ミストノズル２２のそれぞれの目標位置が実質的に一致するように各冷ミストノズル２２の向きが設定される。
・各実施の形態の変形例のミスト発生装置１，２によれば、温ミストノズル２１，２１Ａおよび冷ミストノズル２２から同時に温ミストおよび冷ミストが放出される。
【０１１２】
・各実施の形態の変形例のミスト発生装置１，２によれば、温ミストノズル２１，２１Ａから放出される温ミストの放出方向を変更する温ミスト放出口であるアタッチメントがノズル部２０に取り付けられる。また、この変形例のミスト発生装置１，２によれば、冷ミストノズル２２から放出される冷ミストの放出方向を変更する冷ミスト放出口である別のアタッチメントがノズル部２０に取り付けられる。この構成によれば、温ミストの流れの特性および冷ミストの流れの特性を考慮して、各ミストがそれぞれの目標位置に到達するように各アタッチメントのそれぞれのミスト放出口の向きが設定される。このため、各アタッチメントがノズル部２０に取り付けられることにより、温ミストおよび冷ミストがそれぞれの目標位置に到達しやすい。なお、この変形例のミスト発生装置１，２によれば、各ミストノズル２１，２１Ａ，２２の向きは、任意の選択事項である。また、各アタッチメントが１つのアタッチメントを構成してもよい。
【０１１３】
・各実施の形態の変形例のミスト発生装置１，２によれば、温ミストノズル２１，２１Ａの向きおよび冷ミストノズル２２の向きが同一方向を向いている。この変形例のミスト発生装置１，２によれば、温ミストの流れの特性および冷ミストの流れの特性を考慮して、温ミストおよび冷ミストがそれぞれの目標位置に到達するように温ミストノズル２１，２１Ａの高さおよび冷ミストノズル２２の高さが互いに異なる位置に設定される。この場合、例えば、冷ミストノズル２２の高さが温ミストノズル２１，２１Ａの高さよりも上方に配置されることが好ましい。このため、温ミストおよび冷ミストがそれぞれの目標位置に到達しやすい。なお、この変形例のミスト発生装置１，２によれば、温ミストノズル２１，２１Ａおよび冷ミストノズル２２の前後方向の位置が互いに異なる位置に設定してもよい。
【０１１４】
・各実施の形態の変形例のミスト発生装置１，２によれば、温ミストに関する目標位置、および、冷ミストに関する目標位置が、互いに反対の方向に設定される。例えば、変形例のミスト発生装置１、２によれば、温ミストの流れの特性および冷ミストの流れの特性を考慮して、各ミストがそれぞれの目標位置に到達するように温ミストノズル２１，２１Ａの向きが冷ミストノズル２２の向きとは反対の方向に設定される。
【０１１５】
・温ミストノズル２１，２１Ａの数は、任意の選択事項である。
・冷ミストノズル２２の数は、任意の選択事項である。
・イオンノズル２４の数は、任意の選択事項である。
【０１１６】
・エアーポンプ５３の数は、任意の選択事項である。
・給水タンク１４が水を貯留するか否かは、任意の選択事項である。例えば、変形例の給水タンク１４は、液体である美容剤等が貯留される。このため、美容剤が含まれる温ミストおよび冷ミストが使用者に供給される。このため、肌の美容を促進する効果が得られやすい。
【０１１７】
（課題を解決するための手段に関する付記）
〔付記〕液体から温ミストを生成する温ミスト生成部と、液体から冷ミストを生成する冷ミスト生成部と、前記温ミスト生成部により生成される前記温ミストを放出する温ミスト放出口と、前記冷ミスト生成部により生成される前記冷ミストを放出する冷ミスト放出口とを備え、前記温ミストおよび前記冷ミストがそれぞれの目標位置に到達するように、前記温ミスト放出口の高さおよび前記冷ミスト放出口の高さが互いに異なる位置に設定されるミスト発生装置。
【産業上の利用可能性】
【０１１８】
ミスト発生装置の一形態によれば、温ミストおよび冷ミストをそれぞれの目標位置に到達させやすいため、例えば、使用する空間を加熱、冷却、または、加湿等する機器である空気清浄器または空調設備等の用途にも適用できる。
【符号の説明】
【０１１９】
１，２…ミスト発生装置
１０…ハウジング
１６…孔
２１，２１Ａ…温ミストノズル（温ミスト放出口）
２２…冷ミストノズル（冷ミスト放出口）
４０…温ミスト生成部
５０…冷ミスト生成部
５３…エアーポンプ
５５…合流部
【図１】
2015223335.tif 000003
【図２】
2015223335.tif 000004
【図３】
2015223335.tif 000005
【図４】
2015223335.tif 000006
【図５】
2015223335.tif 000007
【図６】
2015223335.tif 000008
【図７】
2015223335.tif 000009
【図８】
2015223335.tif 000010
【図９Ａ】
2015223335.tif 000011
【図９Ｂ】
2015223335.tif 000012
【図９Ｃ】
2015223335.tif 000013
【図９Ｄ】
2015223335.tif 000014
【図９Ｅ】
2015223335.tif 000015
【図１０】
2015223335.tif 000016
【図１１】
2015223335.tif 000017
【図１２】
2015223335.tif 000018
【図１３】
2015223335.tif 000019
【図１４】
2015223335.tif 000020
【図１５Ａ】
2015223335.tif 000021
【図１５Ｂ】
2015223335.tif 000022
【図１５Ｃ】
2015223335.tif 000023
【図１５Ｄ】
2015223335.tif 000024
【図１５Ｅ】
2015223335.tif 000025